(57)【要約】【課題】ラップフィルム用カートンの開封時に、開封片に層間剥離を生じさせることなく、確実に開封片を前板から剥離させる。【解決手段】ラップフィルム用カートン１は互いに連結された前板１１と、底板１２と、後板１３と、蓋板１４と、蓋板１４に連結された前面パネル１５ａを備えている。前面パネル１５ａは蓋板１４に連結された掩蓋片１５と、掩蓋片１５に切り取り線２３を介して連結され前板１１に接着された開封片１６とを有している。前板１１に接着領域２５を残してニス塗布領域１１ａが形成されている。前板１１の接着領域２５は、接着剤が塗布されたニス非塗布部２５ａと、剥離用ニスが塗布されたニス塗布部２５ｂとを有している。【選択図】図２
2011116442.tif 000002
【特許請求の範囲】
【請求項１】
ロール状に巻かれたラップフィルムを収納するラップフィルム用カートンにおいて、
互いに連結された前板、底板、後板、および蓋板と、
蓋板に連結され、前板上に重なり合って接着される前面パネルとを備え、
前面パネルは蓋板に連結された掩蓋片と、掩蓋片に切り取り線を介して連結されるとともに前板に接着された開封片とを有し、
前板の前面パネル側の面に剥離用ニスが複数の接着領域を残して塗布され、
各接着領域は半切れ部により囲まれ、かつ各接着領域は剥離用ニスが塗布されたニス塗布部と、剥離用ニスが塗布されないニス非塗布部とを有し、当該ニス非塗布部に開封片を前板に接着させる接着剤が塗布されていることを特徴とするラップフィルム用カートン。
【請求項２】
半切れ部により囲まれる接着領域は、円形、長円形、楕円形、菱形、六角形のいずれかの形状を有することを特徴とする請求項１記載のラップフィルム用カートン。
【請求項３】
接着領域内に同一形状の複数のニス非塗布部が設けられ、各ニス非塗布部間にニス塗布部が設けられていることを特徴とする請求項２記載のラップフィルム用カートン。
【発明の詳細な説明】
【技術分野】
【０００１】
本発明は、一般家庭などで食品の包装に使用されているラップフィルムを収納するラップフィルム用カートンに関する。
【背景技術】
【０００２】
従来のラップフィルム用カートンは、紙製基材からなり、ロール状に巻かれたラップフィルムを収納するものであり、前板と、底板と、後板と、蓋板とを備え、蓋板に前板に重なる前面パネルが連結されている。前面パネルは、蓋板に連結された掩蓋片と、前板に接着された開封片とを有し、開封片を掩蓋片から切り取るとともに前板から剥離させることにより、カートンを開封している。
【０００３】
そしてカートンを開封することにより、掩蓋片の裏面に設けられている切断刃を露出させ、ラップフィルムのロールからラップフィルムを引き出して、切断刃により切断している。
【０００４】
ところで従来のカートンにおいて、開封片は前板に接着領域を介して接着され、前板のうち接着領域を除く部分には開封片を容易に剥離できるよう剥離用ニスが塗布されている。
【０００５】
しかしながら開封片を前板から剥離させる際、紙の水分や紙面強度のバラツキによって開封中に開封片が前面からきれいに剥離することができず、開封片の上層のみが千切れてしまうという問題がある。
【０００６】
このように開封片が上層から千切れてしまうと、カートンの開封作業に支障が生じてしまう。
【先行技術文献】
【特許文献】
【０００７】
【特許文献１】特開平１１−２２７７５９号広報
【特許文献２】特開２００６−２９０４５８号広報
【発明の概要】
【発明が解決しようとする課題】
【０００８】
本発明はこのような点を考慮してなされたものであり、カートンの開封時に開封片を前板から容易かつ簡単に剥離することができ、同時に掩蓋片から切り取って、開封片の剥離を確実に行なうことができるラップフィルム用カートンを提供することを目的とする。
【課題を解決するための手段】
【０００９】
本発明は、ロール状に巻かれたラップフィルムを収納するラップフィルム用カートンにおいて、互いに連結された前板、底板、後板、および蓋板と、蓋板に連結され、前板上に重なり合って接着される前面パネルとを備え、前面パネルは蓋板に連結された掩蓋片と、掩蓋片に切り取り線を介して連結されるとともに前板に接着された開封片とを有し、前板の前面パネル側の面に剥離用ニスが複数の接着領域を残して塗布され、各接着領域は半切れ部により囲まれ、かつ各接着領域は剥離用ニスが塗布されたニス塗布部と、剥離用ニスが塗布されないニス非塗布部とを有し、当該ニス非塗布部に開封片を前板に接着させる接着剤が塗布されていることを特徴とするラップフィルム用カートンである。
【００１０】
本発明は、半切れ部により囲まれる接着領域は、円形、長円形、楕円形、菱形、六角形のいずれかの形状を有することを特徴とするラップフィルム用カートンである。
【００１１】
本発明は、接着領域内に同一形状の複数のニス非塗布部が設けられ、各ニス非塗布部間にニス塗布部が設けられていることを特徴とするラップフィルム用カートンである。
【発明の効果】
【００１２】
以上のように、本発明によれば、前板に設けられた各接着領域は、接着剤が塗布されたニス非塗布部と、ニス塗布部とを有するため、各接着領域の接着強度を調整することができる。このため、カートンの開封時に開封片を前板から剥離する際、開封片に層間剥離を生じさせることなく、確実に開封片を前板から剥離することができる。
【図面の簡単な説明】
【００１３】
【図１】本発明によるラップフィルム用カートンを示す斜視図。
【図２】本発明によるラップフィルム用カートンのブランクの展開図。
【図３】本発明によるラップフィルム用カートンの側面図。
【図４】本発明によるラップフィルム用カートンの接着領域を示す図。
【図５】比較例としてのラップフィルム用カートンのブランクの展開図。
【図６】比較例としてのラップフィルム用カートンの側面図。
【図７】ラップフィルム用カートンの切り取り線を示す図。
【発明を実施するための形態】
【００１４】
以下図面に基づいて詳細に説明する。図１は、本発明によるラップフィルム用カートンを示す斜視図であり、図２は、本発明によるラップフィルム用カートンのブランクの展開図であり、図３は、ラップフィルム用カートンを示す側面図、図４は、本発明によるラップフィルム用カートンの接着領域を示す図であり、図５は、ラップフィルム用カートンの比較例のブランクの展開図であり、図６は、ラップフィルム用カートンの比較例を示す側面図、図７は、切り取り線の形状を示す図である。
【００１５】
図１乃至図３に示すようにラップフィルム用カートン１は、ロール状に巻かれたラップフィルムＦを収納するものであり、紙製基材からなっている。このようなラップフィルム用カートン１は互いに連結された前板１１と、底板１２と、後板１３と、蓋板１４とを備えている。また蓋板１４に前面パネル１５ａが連結されるとともに、この前面パネル１５ａは蓋板１４に連結された掩蓋片（固定パネル）１５と、掩蓋片１５に切り込み線２３を介して連結されるとともに前板１１に接着された開封片（剥離パネル）とを有している。
【００１６】
また前板１１の前面パネル１５ａ側の全面に、剥離用ニスが複数の接着領域２５を残して、印刷により塗布されたニス塗布領域１１ａが形成されている。この場合、各接着領域２５は表面のみがカットされた円形の半切れ部（ハーフカット線）２５ｃにより囲まれている（図４）。また、各接着領域２５は剥離用ニスが塗布されたニス塗布部２５ｂと、剥離用ニスが塗布されないニス非塗布部２５ａとを有し、ニス非塗布部２５ａに開封片１６を前板１１に接着させる接着剤が塗布される。
【００１７】
図４において、各接着領域２５は円形の半切れ部２５ｃにより囲まれ、４つの矩形状のニス非塗布部２５ａと、このニス非塗布部２５ａ間に設けられたニス塗布部２５ｂとを有しているが、各接着領域２５内のニス非塗布部２５の形状は矩形状でなくても、円形でもよく、その数は４つに限定されることはなく、２つ以上の任意の数をとることができる。
【００１８】
図１において、前板１１の表面と開封片１６の裏面とを部分的に貼合させている接着領域２５を引き剥がし、切り取り線２３から開封片１６を切り取ることでカートン１を開封することができる。そして、開封片１６の裏面を前板１１から引き剥がしながら、掩蓋片１５から切り取り線２３で開封片１６を切り取ることで、掩蓋片１５の裏面に貼合されている切断刃２６を露出させることができる。このことにより、内部に収納されているラップフィルムのロールからラップフィルムを必要量引き出し、このラップフィルムを切断刃２６で切断して使用する。
【００１９】
次に図２によりラップフィルム用カートン１の構造を詳述する。
【００２０】
図２は、本発明のラップフィルム用カートン１のブランク１０の展開図であり、ブランク１０では、折れ線ａ、ｂ、ｃを介して前板１１、底板１２、後板１３および蓋板１４が互いに連結されている。前板１１の側縁側には折れ線ｅを介して折り込み片１７が、また、蓋板１４の側縁側には折れ線ｄを介して掩蓋片（固定パネル）１５がそれぞれ連設されている。そして、掩蓋片１５には切り取り線２３を介して開封片（剥離パネル）１６が切り離し可能に連設されている。掩蓋片１５の裏面には前記切り取り線２３に沿って切断刃２６が取り付けられ、開封片１６を切り取った後に、切断刃の刃の部分を露出させて内部に収納されているラップフィルムのロールからラップフィルムを必要量引き出し、この切断刃２６でラップフィルムを切断することができる。
【００２１】
また、前板１１、底板１２、後板１３、蓋板１４および掩蓋片１５のそれぞれの両端位置には、折れ線ｆを介してそれぞれ第一側片１８、側板１９、第二側板２０、側蓋板２１、および側蓋片２２が連設されている。また、側板１９には、飛び出し防止片１９ａを連設することもできる。ここで、側板１９の長さは前板１１および後板１３の幅と略同寸となり、第一側片１８、第二側片２０の長さは側板１９より短くなっている。また、側蓋板２１の長さは側板１９の長さの略半分程度となり、また、側蓋片２２の長さは蓋板１４の幅よりも短くなっている。
【００２２】
ラップフィルム用カートン１では、切り取り線２３が両方向から切り取り可能となっている。この切り取り線２３の形状は、両方向から切り取り可能な形状をもつ。図３（ａ）に示す従来のラップフィルム用カートンの切り取り線が一方向から切り取る形状であるのに対して、図３（ｂ）に示す本発明のラップフィルム用カートンの切り取り線２３は両方向から切り取ることが可能な形状をもつ。本例では、直線部分の両端から斜め線を外側方向に設けているが、本例以外にも、例えば、図３（ｃ）に示すように、直線部分の両端からそれぞれ略Ｌ字形を外側方向に設けている形状でもよい。
【００２３】
上述のように前板１１の表面には、図２に示すように、半切れ部２５ｃにより囲まれた複数の接着領域２５が設けられている。この半切れ部２５ｃは、半切れと称するように、ラップフィルム用カートン１の材料である紙製基材を表面から略半分程度切り込みを入れる加工により形成することができる。
【００２４】
また、前板１１に設ける半切れ部２５ｃの形状としては、上記の円形に限定されるものではなく、例えば、長円形、楕円形、菱形、六角形等とすることができる。
【００２５】
なお、上述のように、前板１１に設けた半切れ部２５ｃにより囲まれた接着領域２５の数は特に限定されないが、使用前には、開封片１６が前板１１に固着されて剥がれなく、かつ、使用の際には、この部分接合部で前板１１の表層が剥離し、開封が容易になるように適宜設定する。
【００２６】
また、切断刃２６の形状は、直線状以外にＵ字形状、Ｖ字形状の場合もあり、Ｖ字形状の場合には、切り取り線２３がＶ字形状になり、接着領域２５の位置と形状は、曲線部の位置は、直線上の等間隔に配置されるが、形状はそれぞれ異なってくる。
【００２７】
次にこのような構成からなる本実施の形態の作用について説明する。
【００２８】
はじめに、本発明のラップフィルム用カートンを組み立てる方法を説明する。まず、ブランク１０を各折れ線ａ、ｂ、ｃ、ｄ、ｅ、ｆに沿って折り曲げ、折り込み片１７の裏面を前板１１の裏面に貼着し、つづいて、第二側片２０の表面と側板１９の裏面との間に第一側片１８を挟み込んで各接触面をそれぞれ貼着することによってカートン１のカートン本体２が形成される。また、側蓋片２２の表面と側蓋板２１の裏面とを貼着することにより蓋部３が形成される。
【００２９】
こうして組み立てられたラップフィルム用カートン１には、カートン本体２内にロール状のラップフィルムＦが収納される。そして、前板１１の接着領域２５によって、前板１１の表面と開封片１６の裏面とが貼着され、それによりカートン１が密封される。その場合、接着領域のニス非塗布部２５ａと開封片１６とが接着される。
【００３０】
本発明のラップフィルム用カートン１を使用する場合には、図１に示すように、開封片１６の両端側の摘まみ部２７をつまんで開封片１６を切り取り線２３の箇所から切り離す。このことにより、前板１１のうち接着領域２５の内側の表面の紙が層間剥離することによってラップフィルム用カートン１が開封される。この時、ラップフィルム用カートン１では、切り取り線２３が両方から切り取り可能であり、開封片１６を両方向から開封することが可能である。開封片１６を開封した後、切断刃２６が露出する。同時に、カートン１の内部に収納されたロール状のラップフィルムＦも露出するため、ラップフィルムＦを必要量だけ繰り出して切断刃２６により切断することが可能となる。
【００３１】
ところで、前板１１には半切れ部２５ｃにより囲まれた複数の接着領域２５を残して剥離用ニスが塗布されてニス塗布領域１１ａが形成され、各接着領域２５は接着剤が塗布されたニス非塗布部２５ａと、ニス非塗布部２５ａ間に位置し、剥離用ニスが塗布されたニス塗布部２５ｂとを有している。
【００３２】
このため各接着領域２５の全面に接着剤を塗布する場合に比べると、各接着領域２５の接着強度を調整して、開封片１６の層間剥離を防止して開封片１６をスムーズかつ確実に前板１１から剥離することができる。
【００３３】
すなわち、図５および図６に示す比較例としてのラップフィルム用カートンの場合、前板１１の全面に複数の接着領域２５を残して剥離用ニスが塗布されてニス塗布領域１１ａが形成されている。そして図５および図６において、各接着領域２５には剥離用ニスが塗布されることなく、接着剤が接着領域２５の全面に塗布されている。
【００３４】
図５および図６において、ラップフィルム用カートン１を開封する場合、各接着領域２５の全面に接着剤が塗布されているため開封片１６を前板１１から剥離する際、開封片１６が前板１１に堅固に固着され、開封片１６自体に層間剥離が生じて開封片１６を確実に前板１１から剥離できないことも考えられる。
【００３５】
なお、図５および図６に示すカートン１の開封片１６には、開封片１６を容易に開封するために切り込み部２４が設けられているが、この切り込み部２４によって開封片１６の層間剥離が助長されることもある。
【００３６】
これに対して本発明によれば、各接着領域２５は接着剤が設けられた複数のニス非塗布部２５ａと、ニス非塗布部２５ａ間に位置するニス塗布部２５ｂとを有し、各接着領域２５の接着強度を調整している。このため前板１１から開封片１６を剥離する場合、前板１１と開封片１６との間の過度の接着を抑えることができる。
【００３７】
これにより開封片１６を剥離する場合、接着領域２５の半切れ部２５ｃにより接着領域２５が開封片１６へ移行するか、又は開封片１６が接着領域２５のニス非塗布部２５ａの接着剤から離れて、前板１１から開封片１６を容易かつ確実に剥離することができる。
【実施例１】
【００３８】
次に本発明の具体的実施例について述べる。
【００３９】
カートン１を作製するためのブランク１０としてセルロース繊維紙（レンゴー、ＣＲＣ、４００ｇ／ｍ２）を用いた。
【００４０】
打ち抜き機はＢｏｂｓｔ社製のＳＰ−１３０ＥＲを用い、貼り機はサンエンジニアリング社製ＳＲ１０００−Ａ１を用いた。この際接着領域２５のニス非塗布部２５ａに塗布される接着剤としては、公知のエマルジョンタイプを用いた。
【００４１】
このようにして、図１乃至図４に示す本発明によるラップフィルム用カートン１を得た。
【００４２】
同様にして図５および図６に示す比較例としてのラップフィルム用カートン１を得た。
【００４３】
次に本発明によるラップフィルム用カートン１と、比較例によるラップフィルム用カートン１に対して開封作業を行なった。
【００４４】
その結果を下表に示す。
【表１】
2011116442.tif 000003
【００４５】
表−１から明らかなように、本発明によるラップフィルム用カートン１の場合、開封片１６を容易かつ確実に前板１１から剥離して、確実にカートン１を開封することができた。他方、比較例によるラップフィルム用カートン１の場合、カートン１の開封時に開封片１６に層間剥離が生じ、開封片１６を前板１１から確実に剥離することはできない例がみられた。
【符号の説明】
【００４６】
１ ラップフィルム用カートン
２ カートン本体
３ 蓋体
１０ ブランク
１１ 前板
１２ 底板
１３ 後板
１４ 蓋板
１５ 掩蓋片
１６ 開封片
１７ 折り込み片
１８ 第一側片
１９ 側板
２０ 第二側板
２１ 側蓋板
２２ 側蓋片
２３ 切り取り線
２５ 接着領域
２５ａ ニス非塗布部
２５ｂ ニス塗布部
２５ｃ 半切れ部
２６ 切断刃
２７ 摘まみ部
ａ〜ｆ 折れ線
【図１】
2011116442.tif 000004
【図２】
2011116442.tif 000005
【図３】
2011116442.tif 000006
【図４】
2011116442.tif 000007
【図５】
2011116442.tif 000008
【図６】
2011116442.tif 000009
【図７】
2011116442.tif 000010